(57)【要約】【課題】光源素子及び減光部品の配置の精度が悪くとも、光量を適切に制御することが可能な光源モジュールを提供する。【解決手段】光源モジュールは、光を発するレーザ素子を備える。レーザ素子から出射した光は、第１の減光部材に入射する。第１の減光部材は、その透過率が、入射面における第１方向に一定の割合で低下するように構成されており、光の入射位置に対応する透過率で入射した光を透過する。第１の減光部材を透過した光は、第２の減光部材に入射する。第２の減光部材は、その透過率が、入射面における第１方向に、第１の減光部材と同じ一定の割合で上昇するように構成されており、光の入射位置に対応する透過率で入射した光を透過する。駆動手段は、第１の減光部材及び／又は第２の減光部材を、第１方向に沿って駆動する。【選択図】図２
2015169725.tif 000002
【特許請求の範囲】
【請求項１】
設定された光量を出射する光源モジュールであって、
光を発するレーザ素子と、
前記光が入射する位置に配置され、当該光の入射面における第１方向に一定の割合で低下する透過率を有する第１の減光部材と、
前記第１の減光部材を透過した光が入射する位置に配置され、当該光の入射面における前記第１方向に前記一定の割合で上昇する透過率を有する第２の減光部材と、
光が入射する位置を変化させるように、前記第１の減光部材及び／又は前記第２の減光部材を前記第１方向に沿って駆動する駆動手段と、
を備えることを特徴とする光源モジュール。
【請求項２】
前記減光部材は、ＮＤフィルタであることを特徴とする請求項１に記載の光源モジュール。
【請求項３】
前記駆動手段は、前記設定された光量に応じて、前記減光部材を前記入射面と平行な方向に移動させることを特徴とする請求項１又は２に記載の光源モジュール。
【請求項４】
前記駆動手段は、前記設定された光量に応じて、前記減光部材を前記入射面内で回転させることを特徴とする請求項１又は２に記載の光源モジュール。
【請求項５】
前記駆動手段は、前記第１の減光部材及び前記第２の減光部材を互いに逆方向に駆動することを特徴とする請求項１乃至４のいずれか一項に記載の光源モジュール。
【請求項６】
前記レーザ素子は、それぞれ異なる波長の光を発する複数のレーザ素子であり、
前記減光部材は、前記複数のレーザ素子からの光の合成光を減光することを特徴とする請求項１乃至５のいずれか一項に記載の光源モジュール。
【請求項７】
請求項１乃至６のいずれか一項に記載の光源モジュールを備えることを特徴とする投影装置。
【発明の詳細な説明】
【技術分野】
【０００１】
本発明は、レーザ素子を具備する光源モジュールに関する。
【背景技術】
【０００２】
通常、レーザ素子を用いた表示装置では、表示する画像に応じて、レーザ素子から出射させる光量を変化させている。具体的には、レーザ素子の駆動電流などを制御することで、レーザ素子の光量を変化させている。ところで、表示装置によっては、レーザ素子の光量を大きく低減させるような使われ方がなされる場合がある。例えば、照度が大きく変化するような環境の中で使用される表示装置（１つの例では車載用ヘッドアップディスプレイ）では、夜間の使用時には昼間の使用時よりもかなり低い光量に設定される傾向にある。そのような低い光量を実現するためにレーザ素子の駆動電流などを低くすると、レーザ素子の出力が不安定になるようなキンク（駆動電流と光出力との関係が非線形になるような現象）が発生する場合がある。キンクが発生すると、低輝度階調の制御が困難となり、映像がちらつく可能性がある。
【０００３】
このようなキンクは、駆動電流などを制御する手法とは別の手法にて光量を変化させれば抑制することができるものと考えられる。例えば、特許文献１には、偏光成分に応じて透過量の異なる同一の偏光ビームスプリッタを、外部鏡筒内に回転自在に配置された内部鏡筒の回転軸に直交する平面に対称かつ当該平面とそれぞれ角度θだけ傾けて配置し、レーザ光源からの直線偏光を光軸が内部鏡筒の回転軸と一致するように入射させ、内部鏡筒を所望の位置に回転させることで、出射光軸と入射光軸とを一致させつつ出射光の光量を調整する技術が提案されている。
【先行技術文献】
【特許文献】
【０００４】
【特許文献１】特開平１１−２５８５２６号公報
【発明の概要】
【発明が解決しようとする課題】
【０００５】
しかしながら、上記した特許文献１に記載された技術では、２つの偏光ビームスプリッタを収容した内部鏡筒を回転させていたため、部品点数が多くなり、装置が大型化する傾向にあった。加えて、特許文献１に記載された技術では、内部鏡筒の回転に連動して出射光の光軸が変化しないように、偏光ビームスプリッタを精度良く配置する必要があった。
【０００６】
本発明は、上記のような課題を解決するためになされたものであり、光源素子及び減光部品の配置の精度が悪くとも、光量を適切に制御することが可能な光源モジュールを提供することを主な目的とする。
【課題を解決するための手段】
【０００７】
請求項に記載の発明は、設定された光量を出射する光源モジュールであって、光を発するレーザ素子と、前記光が入射する位置に配置され、当該光の入射面における第１方向に一定の割合で低下する透過率を有する第１の減光部材と、前記第１の減光部材を透過した光が入射する位置に配置され、当該光の入射面における前記第１方向に前記一定の割合で上昇する透過率を有する第２の減光部材と、光が入射する位置を変化させるように、前記第１の減光部材及び／又は前記第２の減光部材を前記第１方向に沿って駆動する駆動手段と、を備えることを特徴とする。
【図面の簡単な説明】
【０００８】
【図１】第１実施例に係る光源モジュールの概略構成を示すブロック図である。
【図２】ＮＤフィルタ部の構成を示す。
【図３】ＮＤフィルタの平面図及び透過特性を示す。
【図４】ＮＤフィルタによる減光の様子を示す。
【図５】ＮＤフィルタの個々の透過特性及び合成透過特性を示すグラフである。
【図６】第１実施例に係る光源モジュールの具体的な構成例を示す。
【図７】第１実施例の変形例によるＮＤフィルタ部の構成を示す。
【図８】第２実施例に係る光源モジュールの概略構成を示す。
【発明を実施するための形態】
【０００９】
本発明の好適な実施形態では、設定された光量を出射する光源モジュールは、光を発するレーザ素子と、前記光が入射する位置に配置され、当該光の入射面における第１方向に一定の割合で低下する透過率を有する第１の減光部材と、前記第１の減光部材を透過した光が入射する位置に配置され、当該光の入射面における前記第１方向に前記一定の割合で上昇する透過率を有する第２の減光部材と、光が入射する位置を変化させるように、前記第１の減光部材及び／又は前記第２の減光部材を前記第１方向に沿って駆動する駆動手段と、を備える。
【００１０】
上記の光源モジュールは、光を発するレーザ素子を備える。レーザ素子から出射した光は、第１の減光部材に入射する。第１の減光部材は、その透過率が、入射面における第１方向に一定の割合で低下するように構成されており、光の入射位置に対応する透過率で入射した光を透過する。第１の減光部材を透過した光は、第２の減光部材に入射する。第２の減光部材は、その透過率が、入射面における第１方向に、第１の減光部材と同じ一定の割合で上昇するように構成されており、光の入射位置に対応する透過率で入射した光を透過する。駆動手段は、第１の減光部材及び／又は第２の減光部材を、第１方向に沿って駆動する。好適な例では、減光部材はＮＤ（減光）フィルタである。
【００１１】
上記の光源モジュールは、レーザ素子から出射した光を、第１及び第２の減光部材により設定された光量まで減光して出射する。ここで、第１の減光部材と第２の減光部材は、第１方向における位置の変化に対して透過率が逆方向に変化するように構成されているので、光の入射位置のずれに起因する第１の減光部材での透過率の変化と第２の減光部材での透過率の変化は相互に打ち消しあうため、入射位置のずれの影響を抑制することができる。
【００１２】
上記の光源モジュールの好適な例では、前記駆動手段は、前記設定された光量に応じて、前記減光部材を前記入射面と平行な方向に移動させる。他の好適な例では、前記駆動手段は、前記設定された光量に応じて、前記減光部材を前記入射面内で回転させる。
【００１３】
上記の光源モジュールの一態様では、前記駆動手段は、前記第１の減光部材及び前記第２の減光部材を互いに逆方向に駆動する。これにより、レーザ素子からの光を、設定された光量に減光することができる。
【００１４】
上記の光源モジュールの他の一態様では、前記レーザ素子は、それぞれ異なる波長の光を発する複数のレーザ素子であり、前記減光部材は、前記複数のレーザ素子からの光の合成光を減光する。この態様では、複数の波長のレーザ光間の位置ずれの影響を低減することにより、カラーバランスを保ちつつ減光を行うことができる。
【００１５】
好適な例では、上記の光源モジュールは投影装置の光源として使用される。
【実施例】
【００１６】
以下、図面を参照して本発明の好適な実施例について説明する。
【００１７】
［第１実施例］
図１は、第１実施例に係る光源モジュール１０の概略構成を示すブロック図である。図１に示すように、光源モジュール１０は、レーザ素子１と、ＮＤフィルタ部２と、アクチュエータ３と、制御部４とを有する。光源モジュール１０は、例えば、投影装置（プロジェクタ）、ヘッドアップディスプレイ、ヘッドマウントディスプレイ、光ピックアップなどに適用される。
【００１８】
レーザ素子１は、ＲＧＢ３色のレーザ光を出射するレーザダイオード（ＬＤ：Laser Diode）を備え、赤色レーザ光Ｌｒ、緑色レーザ光Ｌｇ及び青色レーザ光ＬｂをＮＤ（Neutral Density）フィルタ部２に向けて出射する。なお、以下の説明においては、レーザ光の色を区別する必要が無い場合には単に「レーザ光Ｌ」と記す。また、レーザ光のことを単に「光」と呼ぶことがある。
【００１９】
ＮＤフィルタ部２は、同一形状の矩形の２枚のＮＤ（減光）フィルタ２Ａ及び２Ｂで構成される（図２参照）。ＮＤフィルタ２Ａ、２Ｂは、可視光の全波長を所定の透過率で透過するフィルタである。ＮＤフィルタ２Ａ、２Ｂは、部位に応じて徐々に異なる透過率（光学濃度）を有するように、ＮＤ膜のパターンが入射面上に形成されている。
【００２０】
アクチュエータ３は、入射面の向きを変えずにＮＤフィルタ２Ａ、２Ｂを駆動し、光が入射されるＮＤフィルタ上の位置を変える。なお、アクチュエータ３は、本発明における「駆動手段」の一例である。
【００２１】
制御部４は、設定された光量、即ち、光源モジュール１０から出射すべき光量に応じてアクチュエータ３を制御する。また、制御部４は、レーザ素子１に入力する電流又は電圧を制御する。この場合、制御部４は、レーザ素子１に入力する電流又は電圧を、レーザ素子１におけるキンク（電流又は電圧と光出力との関係が非線形になるような現象）の影響が生じない電流値又は電圧値以上に保持する。具体的には、レーザ素子１においてキンクの影響が生じる電流又は電圧についての閾値を予め求めておき、制御部４は、当該閾値以上の電流又は電圧をレーザ素子１に入力する。
【００２２】
次に、ＮＤフィルタ部２について詳しく説明する。図２は、ＮＤフィルタ部２の構成を示す。ＮＤフィルタ２Ａ、２Ｂは、レーザ素子１から発せられた光の光軸に対して垂直に入射面を向けて配置され、レーザ素子１の光が入射される。ＮＤフィルタ２Ａ、２Ｂは、それぞれのレーザ素子１側の入射面が平行となるように配置されている。また、ＮＤフィルタ２Ａはレーザ素子１から出射された光Ｌが入射する位置に配置され、ＮＤフィルタ２ＢはＮＤフィルタ２Ａを透過した光Ｌが入射する位置に配置されている。こうして、レーザ素子１から出射した光は、ＮＤフィルタ２ＡとＮＤフィルタ２Ｂを順に透過する。
【００２３】
図３（ａ）、（ｂ）は、それぞれＮＤフィルタ２Ａ、２Ｂの入射面を示す正面図、即ち、入射面をレーザ素子１側から見た図である。図３（ｃ）、（ｄ）は、それぞれＮＤフィルタ２Ａ、２Ｂの透過特性を示す。図３（ａ）、（ｂ）に示すように、ＮＤフィルタ２Ａ、２Ｂは矩形形状であり、その長手（長辺）方向、即ち図中のＸ方向に沿って透過率が連続的に変化するグラデーションフィルタとして構成される。
【００２４】
具体的に、図３（ｃ）に示すように、ＮＤフィルタ２Ａは、入射面上において所定の直線方向（Ｘ方向）に沿って透過率が連続的に上昇するように構成されている。なお、Ｘ方向と垂直な方向（Ｙ方向）には透過率は変化しない。詳しくは、ＮＤフィルタ２Ａは、図３（ａ）において左から右の方向に透過率が徐々に増加するように構成されている。例えば、ＮＤフィルタ２は、透過率が０％から１００％の範囲内で変化するように構成されている。
【００２５】
一方、図３（ｄ）に示すように、ＮＤフィルタ２Ｂは、入射面上において所定の直線方向（Ｘ方向）に沿って透過率が連続的に低下するように構成されている。なお、Ｘ方向と垂直な方向（Ｙ方向）には透過率は変化しない。詳しくは、ＮＤフィルタ２Ｂは、図３（ｂ）において左から右の方向に透過率が徐々に減少するように構成されている。例えば、ＮＤフィルタ２は、透過率が１００％から０％の範囲内で変化するように構成されている。
【００２６】
図３から理解されるように、ＮＤフィルタ２Ａ、２Ｂは、透過率の変化の割合が同じものであって、その変化の方向が逆となっている。即ち、ＮＤフィルタ２Ａ、２Ｂは、透過率が変化する方向を反転させたものとなっている。実際には、同じ２つのフィルタのうちの一方を、入射面に対する法線を軸に１８０度回転させて配置すればよい。
【００２７】
次に、ＮＤフィルタ２Ａ、２Ｂによる減光動作について説明する。アクチュエータ３は、図２の矢印Ｄ１に示すように、ＮＤフィルタ２Ａ、２Ｂの入射面と平行な方向に、即ち、透過率が連続的に変化するＸ方向に、ＮＤフィルタ２Ａ、２Ｂを移動させる。制御部４は、光源モジュール１０から出射すべき光量に基づいて、ＮＤフィルタ２Ａ、２Ｂを所望の位置に移動させるようにアクチュエータ３を制御する。具体的には、制御部４は、光源モジュール１０から出射すべき光量に応じた所望の透過率が得られるＮＤフィルタ２Ａ、２Ｂ上の箇所にレーザ素子１の光が照射されるように、アクチュエータ３を介してそれぞれＮＤフィルタ２Ａ、２Ｂを移動させる。例えば、制御部４は、アクチュエータ３の制御量（例えば駆動電圧や駆動電流などであり、アクチュエータ３によってＮＤフィルタ２Ａ、２Ｂを移動させる量や方向に対応する）と、ＮＤフィルタ２Ａ、２Ｂの合成透過率（アクチュエータ３の駆動により配置されたＮＤフィルタ２Ａ、２Ｂの位置において、レーザ素子１の光が入射するＮＤフィルタ２Ａ、２Ｂ上の箇所に対応する透過率）との関係を予め記憶しておき、当該関係及び光源モジュール１０から出射すべき光量に基づいて、アクチュエータ３を制御する。
【００２８】
図４は、ＮＤフィルタ２Ａ、２Ｂによる透過率の制御例を示す。図４（ａ）は、ＮＤフィルタ２Ａ、２Ｂにより、レーザ素子１からの出射光Ｌ（Ｌｒ、Ｌｇ、Ｌｂ）を１００％透過させる場合を示す。この場合、制御部４は、ＮＤフィルタ２Ａの透過率が１００％の位置と、ＮＤフィルタ２Ｂの透過率が１００％の位置とを出射光Ｌが通過するようにＮＤフィルタ２Ａ、２Ｂを移動させる。これにより、２枚のＮＤフィルタ２Ａ、２Ｂによる合成透過率は１００％となる。
【００２９】
図４（ｂ）は、ＮＤフィルタ２Ａ、２Ｂにより、レーザ素子１からの出射光を４０％透過させる場合を示す。この場合、制御部４は、ＮＤフィルタ２Ａの透過率が６３％の位置と、ＮＤフィルタ２Ｂの透過率が６３％の位置とを出射光Ｌが通過するようにＮＤフィルタ２Ａ、２Ｂを移動させる。これにより、２枚のＮＤフィルタ２Ａ、２Ｂによる合成透過率は約４０％となる。
【００３０】
図４（ｃ）は、ＮＤフィルタ２Ａ、２Ｂにより、レーザ素子１からの出射光を１０％透過させる場合を示す。この場合、制御部４は、ＮＤフィルタ２Ａの透過率が３３％の位置と、ＮＤフィルタ２Ｂの透過率が３３％の位置とを出射光Ｌが通過するようにＮＤフィルタ２Ａ、２Ｂを移動させる。これにより、２枚のＮＤフィルタ２Ａ、２Ｂによる合成透過率は約１０％となる。
【００３１】
次に、本実施例のようにＮＤフィルタを２段にすることの効果について説明する。ＮＤフィルタが１段の場合、各色レーザ光の光軸にずれがあると、その位置に応じて透過率が大きく変化する。これにより、各色レーザ光のカラーバランスが崩れてしまう。ＮＤフィルタを２段にすることにより、この不具合を解消することができる。
【００３２】
図５は、ＮＤフィルタを２段にした場合の、個々のＮＤフィルタ２Ａ、２Ｂの透過特性と、２つのＮＤフィルタ２Ａ、２Ｂによる合成透過特性とを示す。ＮＤフィルタを２段にすることにより、合成透過率は、その頂点付近において、それぞれのＮＤフィルタの透過率よりも、レーザ光の入射位置の変化に対する透過率の変化を平坦化することができる。よって、合成透過率がほぼ平坦な位置にレーザ光を入射させることにより、各色レーザ光の光軸にずれがあっても、２段のＮＤフィルタ２Ａ、２Ｂによる合計の減光量はほぼ同一となるため、カラーバランスを保ちつつ減光することが可能となる。
【００３３】
例えば、図４（ｂ）の例で、レーザ光Ｌｇの光軸に対して、レーザＬｒの光軸が図中の奥側へ所定距離ｄだけずれているとする。この場合、１段目のＮＤフィルタ２Ａでは、レーザ光Ｌｒに対する透過率はレーザ光Ｌｇに対する透過率よりも距離ｄ分だけ低くなる。しかし、ＮＤフィルタ２Ａと２Ｂは透過率が同じ割合で逆方向に変化するように構成されているので、２段目のＮＤフィルタ２Ｂでは、レーザ光Ｌｒに対する透過率はレーザ光Ｌｇに対する透過率よりも距離ｄ分だけ高くなる。即ち、基準となるレーザ光Ｌｇの光軸に対するレーザ光Ｌｒの光軸のずれにより１段目のＮＤフィルタ２Ａで発生する透過率の誤差は、２段目のＮＤフィルタ２Ｂにより打ち消されることになり、２段のＮＤフィルタ２Ａ、２Ｂによるレーザ光ＬｇとＬｒのトータルの減光量はほぼ同じとなる。このような効果が各色のレーザ光について得られるため、カラーバランスのずれが防止できる。
【００３４】
図６は、第１実施例による光源モジュール１０の具体的な構成例を示す。なお、光源モジュール１０は、表示すべき画像に対応する画像信号が入力される画像信号入力部や、光源モジュール１０からの光を走査するＭＥＭＳミラーなどを備えるプロジェクタ（投影装置）の光源として使用される。
【００３５】
光源モジュール１０は、赤色レーザ素子１Ｒと、緑色レーザ素子１Ｇと、青色レーザ素子１Ｂと、ＮＤフィルタ２Ａ、２Ｂと、ダイクロイックプリズム５と、を備える。なお、図６ではアクチュエータ３及び制御部４の図示を省略している。
【００３６】
レーザ素子１Ｒは赤色レーザ光Ｌｒを出射し、レーザ素子１Ｇは緑色レーザ光Ｌｇを出射し、レーザ素子１Ｂは青色レーザ光Ｌｂを出射する。図６では、赤色レーザ光Ｌｒを実線で表し、緑色レーザ光Ｌｇを破線で表し、青色レーザ光Ｌｂを一点鎖線で表している。
【００３７】
ダイクロイックプリズム５は、内部に反射面５ａ、５ｂが設けられている。反射面５ａは、赤色レーザ光Ｌｒを反射し、緑色レーザ光Ｌｇを透過させる。反射面５ｂは、赤色レーザ光Ｌｒ及び緑色レーザ光Ｌｇを反射し、青色レーザ光Ｌｂを透過させる。これにより、ダイクロイックプリズム５によって各色レーザ光が導かれることで、レーザ素子１Ｒ、１Ｇ、１Ｂから出射された赤色レーザ光Ｌｒ、緑色レーザ光Ｌｇ及び青色レーザ光Ｌｂの全てがＮＤフィルタ２Ａ、２Ｂに入射する。つまり、赤色レーザ光Ｌｒ、緑色レーザ光Ｌｇ及び青色レーザ光Ｌｂを合成した合成光がＮＤフィルタ２Ａ、２Ｂに入射する。
【００３８】
ＮＤフィルタ２Ａ、２Ｂは、上述したものであり、アクチュエータ３及び制御部４によって制御される。具体的には、制御部４は、プロジェクタによって投影すべき画像の輝度などに基づいて、アクチュエータ３によってＮＤフィルタ２Ａ、２Ｂを移動させる制御と、レーザ素子１Ｒ、１Ｇ、１Ｂのそれぞれに電流を供給する制御とを行う。これにより、光源モジュール１０は設定された光量の光を出射する。
【００３９】
（変形例１）
上記の実施例では、アクチュエータ３によりＮＤフィルタ２Ａ、２Ｂの両方を移動させることとしたが、広い調光範囲が必要でない場合には、いずれか一方のＮＤフィルタを固定してもよい。例えば、ＮＤフィルタ２Ａのみを移動可能とし、ＮＤフィルタ２Ｂを固定する。この場合でも、ＮＤフィルタ２Ａの透過率の変化よりも合成透過率の変化は平坦であるため、各色レーザ光の光軸にずれがあってもカラーバランスを保ちつつ減光することが可能となる。
【００４０】
（変形例２）
上記の実施例では、ＮＤフィルタ２Ａ、２Ｂを矩形形状のグラデーションフィルタとしたが、その代わりに円形のグラデーションフィルタを使用してもよい。図７は、円形のＮＤフィルタ７Ａ、７Ｂを使用した例を示す。図示のように、ＮＤフィルタ７Ａ、７Ｂは、中心点Ｃを中心とする円からなる円板形状に構成されている。
【００４１】
ＮＤフィルタ７Ａは、入射面上において、中心点Ｃを中心とする円の円周方向２２に沿って透過率が連続的に変化するようなグラデーションフィルタとして構成されている。具体的には、ＮＤフィルタ７Ａは、円周方向２２に沿って透過率が低下するように構成されている。なお、中心点Ｃを中心とする円の半径方向２１には透過率は変化しない。
【００４２】
ＮＤフィルタ７Ｂも、入射面上において、中心点Ｃを中心とする円の円周方向２２に沿って透過率が連続的に変化するようなグラデーションフィルタとして構成されている。但し、ＮＤフィルタ７Ｂは、ＮＤフィルタ７Ａとは逆に、円周方向２２に沿って透過率が上昇するように構成されている。なお、中心点Ｃを中心とする円の半径方向２１には透過率は変化しない。
【００４３】
この場合、アクチュエータ３は、図７中の矢印Ｄ２に示すように、中心点Ｃを中心にしてＮＤフィルタ７Ａ、７Ｂを回転させる。なお、アクチュエータ３は、ＮＤフィルタ７Ａと７Ｂを逆方向に回転させる。また、制御部４は、光源モジュール１０から出射すべき光量に基づいて、ＮＤフィルタ７Ａ、７Ｂがそれぞれ所望の回転角度となるようにアクチュエータ３を制御する。具体的には、制御部４は、光源モジュール１０から出射すべき光量に応じた所望の透過率が得られるＮＤフィルタ７Ａ、７Ｂ上の箇所にレーザ素子１の光が照射されるように、アクチュエータ３を介してＮＤフィルタ７Ａ、７Ｂを回転させる。
【００４４】
（変形例３）
上記の実施例では、レーザ素子１の光がＮＤフィルタ２に直接入射される構成を示したが、レーザ素子１とＮＤフィルタ２Ａ、２Ｂとの間に光学素子（レンズやミラーやプリズムなど）を設け、レーザ素子１の光が当該光学素子を介してＮＤフィルタ２Ａ、２Ｂに入射されるようにしても良い。
【００４５】
［第２実施例］
図８は、第２実施例の光源モジュール２０の構成を示す。第２実施例の光源モジュール２０は、ＮＤフィルタ２Ａのみを備える。第２実施例では、ＮＤフィルタ２Ｂに代えて、各色レーザ光Ｌの光軸の位置に応じて各色レーザ素子の発光光量を補正することにより、調光時のカラーバランスを維持する。
【００４６】
具体的には、図８に示すように、レーザ素子１とＮＤフィルタ２Ａとの間にハーフミラー３１を配置し、各色レーザ光Ｌの一部をハーフミラー３１で反射して受光部３２に入射させる。受光部３２は入射したレーザ光Ｌの光量を検出して制御部４へ送る。制御部４は、受光部３２により検出された各色レーザ光Ｌの光量に基づいて、基準位置からの各色レーザ光Ｌの位置ずれを検出する。
【００４７】
そして、制御部４は、各色レーザ光Ｌの基準位置からのずれの方向及び量に応じて、各色レーザ光ごとに必要な補正量を算出する。具体的には、ＮＤフィルタ２Ａの透過特性を示すデータを基に設定された補正テーブルを参照して、各色レーザ素子に供給する電流又は電圧を補正する。即ち、基準位置からの位置ずれによる光量のずれを補正するように、レーザ素子１から出射する各色レーザ光Ｌの光量を変更する。これにより、第２実施例によっても、カラーバランスを保ちつつ減光することが可能となる。
【符号の説明】
【００４８】
１  レーザ素子
２  ＮＤフィルタ部
２Ａ、２Ｂ、７Ａ、７Ｂ  ＮＤフィルタ
３  アクチュエータ
４  制御部
７Ａ、７Ｂ  ＮＤフィルタ
１０、２０  光源モジュール
３１  ハーフミラー
３２  受光部
【図１】
2015169725.tif 000003
【図５】
2015169725.tif 000004
【図２】
2015169725.tif 000005
【図３】
2015169725.tif 000006
【図４】
2015169725.tif 000007
【図６】
2015169725.tif 000008
【図７】
2015169725.tif 000009
【図８】
2015169725.tif 000010